(57)【要約】      （修正有）【課題】授乳時など乳幼児を横抱きする際に保護者などの腕に取り付ける用途を有するが、通常の枕として用いる場合に、枕本体の凹部にベルトの異物感を与えることが少ない乳幼児用枕を提供する。【解決手段】表面側に乳幼児の後頭部を支える凹部４が形成された枕本体２と、枕本体２の裏面側２ｂに、腕を挿入可能なように上端２０ａ及び下端２０ｂが取り付けられた帯状のベルト２０とを備える乳幼児用枕１であって、ベルト２０は、凹部４に対応する枕本体２の裏面２ｂの領域を覆うように配置されていることを特徴とする。【選択図】図２
0003155499.tif 000002
【実用新案登録請求の範囲】
【請求項１】
表面側に乳幼児の後頭部を支える凹部が形成された枕本体と、
前記枕本体の裏面側に、腕を挿入可能なように上端及び下端が取り付けられた帯状のベルトとを備える乳幼児用枕であって、
前記ベルトは、前記凹部に対応する前記枕本体の裏面の領域を覆うように配置されていることを特徴とする乳幼児用枕。
【請求項２】
前記ベルトは、前記枕本体の前記凹部の横幅よりも幅広に形成されていることを特徴とする請求項１記載の乳幼児用枕。
【請求項３】
前記ベルトは、伸縮性及び通気性を有するメッシュ素材からなることを特徴とする請求項１又は２記載の乳幼児用枕。
【請求項４】
前記枕本体は、少なくとも表側地に吸湿性素材よりなる布地を用いていることを特徴とする請求項１乃至３いずれか記載の乳幼児用枕。
【請求項５】
前記枕本体の少なくとも凹部以外の部分には、緩衝材が充填されていることを特徴とする請求項１乃至４いずれか記載の乳幼児用枕。
【考案の詳細な説明】
【技術分野】
【０００１】
本考案は、授乳時など乳幼児を横抱きする際に保護者などの腕に取り付ける用途と、通常の枕としての用途を有する乳幼児用枕に関するものである。
【背景技術】
【０００２】
従来から、授乳時など乳幼児を横抱きする際に保護者などの腕に取り付ける乳幼児用枕として、例えば表面側に乳幼児の後頭部を支える凹部が形成された枕本体と、枕本体の裏面側に、腕を挿入可能なように上端及び下端が取り付けられた帯状のベルトとを備える乳幼児用枕が知られている（特許文献１参照）。
【先行技術文献】
【特許文献】
【０００３】
【特許文献１】実開昭６３−１８５６７１号公報
【考案の概要】
【考案が解決しようとする課題】
【０００４】
しかしながら、特許文献１に記載されている乳幼児用枕は、ベルトの横幅が枕本体の凹部の横幅よりも狭く形成されているため、通常の枕として使用する際に枕本体の凹部にベルトの異物感を与えてしまう場合がある。
【０００５】
そこで、本考案は、授乳時など乳幼児を横抱きする際に保護者などの腕に取り付ける用途を有するが、通常の枕として用いる場合に、枕本体の凹部にベルトの異物感を与えることが少ない乳幼児用枕を提供することを目的とする。
【課題を解決するための手段】
【０００６】
以上の目的を達成するため、本考案に係る乳幼児用枕は、表面側に乳幼児の後頭部を支える凹部が形成された枕本体と、前記枕本体の裏面側に、腕を挿入可能なように上端及び下端が取り付けられた帯状のベルトとを備える乳幼児用枕であって、前記ベルトは、前記凹部に対応する前記枕本体の裏面の領域を覆うように配置されていることを特徴とする。このように、本発明に係る乳幼児用枕によれば、ベルトが凹部に対応する枕本体の裏面の領域を覆うように配置されているので、枕として使用する際に枕本体の凹部にベルトの異物感を与えることが少ない。
【０００７】
本考案に係る乳幼児用枕において、前記ベルトは、前記枕本体の前記凹部の横幅よりも幅広に形成されていることが好ましく、また、伸縮性及び通気性を有するメッシュ素材からなることが好ましい。このように、ベルトが伸縮性及び通気性を有するメッシュ素材からなることにより、保護者の腕から枕本体をスムーズに取り外すことができると共に、保護者の腕の発汗を抑制することができる。
【０００８】
また、前記枕本体は、少なくとも表側地に吸湿性素材よりなる布地を用いて形成されていることが好ましく、このように、表側地に吸湿性素材よりなる布地を用いることにより、乳幼児の汗を吸収させることができるため、乳幼児にストレスを与えることが少ない快適な乳幼児用枕とすることができる。
【０００９】
また、前記枕本体の少なくとも凹部以外の部分には、緩衝材が充填されていることが好ましく、このように、枕本体に緩衝材が充填されていることにより、乳幼児の頭部に柔軟性を与えることができるため、乳幼児にストレスを与えることが少ない快適な乳幼児用枕とすることができる。さらに、緩衝材は、吸湿性を有する素材からなることが好ましく、このように、緩衝材が吸湿性を有することにより、保護者の腕に支えられている乳幼児の頭部の汗及び保護者の腕の汗を緩衝材により効果的に吸収させることができるため、乳幼児にストレスを与えることが少ない快適な乳幼児用枕とすることができる。
【考案の効果】
【００１０】
以上のように、本考案によれば、授乳時など乳幼児を横抱きする際に保護者などの腕に取り付ける用途を有するが、通常の枕として用いる場合に、枕本体の凹部にベルトの異物感を与えることが少ない乳幼児用枕を提供することができる。
【図面の簡単な説明】
【００１１】
【図１】本考案の一実施形態に係る乳幼児用枕を示す平面斜視図である。
【図２】本実施形態に係る乳幼児用枕を示す底面斜視図である。
【図３】図１のＡ−Ａ´線に沿った断面図である。
【図４】本実施形態に係る乳幼児用枕を腕に装着させた状態を示す斜視図である。
【図５】本実施形態に係る乳幼児用枕の使用例を示す工程図である。
【考案を実施するための形態】
【００１２】
次に、本考案の一実施形態に係る乳幼児用枕について、図面に基づいて説明する。本実施形態に係る乳幼児用枕１は、図１乃至図３に示すように、略長方形状の枕本体２と、枕本体２の裏面２ｂに設けられた帯状のベルト２０とを備えている。
【００１３】
枕本体２は、図１及び図３に示すように、表面２ａ及び裏面２ｂがＷガーゼなどの吸湿性を有する布地で形成され、これら表面２ａと裏面２ｂの周縁が縫合されることにより、それらの間に中綿素材などの吸湿性及び柔軟性を有する素材からなる緩衝材１０が充填されている。
【００１４】
枕本体２の中央部分には、略円状の凹部４が形成されている。凹部４は、枕本体２の表面２ａと裏面２ｂが縫合され、その間に充填される緩衝材１０の量を縫合された領域の外部よりも少なくすることにより、形成されている。
【００１５】
ベルト２０は、図２に示すように、伸縮性及び通気性を有する綿１００％のメッシュ素材などからなり、上端２０ａが枕本体２の裏面２ｂの上端部２ｃに縫合され、下端２０ｂが枕本体２の裏面２ｂの下端部２ｄに縫合されて設けられている。また、ベルト２０は、枕本体２の凹部４の横幅βよりも幅広な横幅αを有し、凹部４に対応する枕本体２の裏面２ｂの領域を覆うように配置されている。
【００１６】
次に、本実施形態に係る乳幼児用枕１の使用例について、図４及び図５に基づいて説明する。本実施形態に係る乳幼児用枕１は、授乳時など乳幼児を横抱きする際に保護者などの腕に取り付ける用途と、通常の枕としての用途を有する。乳幼児用枕１を授乳時など横抱きする際には、図４に示すように、枕本体２の裏面２ｂとベルト２０との間に保護者の腕を挿入し、図５（ａ）に示すように、枕本体２の表面２ａの凹部４によって乳幼児の後頭部を支持させて、腕パッドとして使用する。この状態において、図５（ｂ）に示すように、乳幼児が寝入った場合には、図示しない寝具上に乳幼児を横にさせると共に、保護者の腕を枕本体２の裏面２ｂとベルト２０との間からそっと抜き取り、図５（ｃ）に示すように、通常の枕として使用する。
【符号の説明】
【００１７】
１      乳幼児用枕
２      枕本体
４      凹部
２０    ベルト
【図１】
0003155499.tif 000003
【図２】
0003155499.tif 000004
【図３】
0003155499.tif 000005
【図４】
0003155499.tif 000006
【図５】
0003155499.tif 000007